(57)【要約】【課題】  本発明は芝生の植生ができ且つ自動車による不陸が極力生じない多目的植生用地を提供する。【解決手段】第１客土層（４）と、該第１客土層（４）の上に敷設された保護ネット（３）と、該保護ネット（３）の上に形成された第２客土層（４）と、該第２客土層（４）の上に敷設された植生材料（５）とよりなり、該植生材料（５）の上が覆土されていることを構成とする多目的植生用地。  【選択図】図１
2011078347.tif 000002
【特許請求の範囲】
【請求項１】
第１客土層と、該第１客土層の上に敷設された保護ネットと、該保護ネットの上に形成された第２客土層と、該第２客土層の上に敷設された植生材料とよりなり、該植生材料の上が覆土されていることを特徴とする多目的植生用地。  
【請求項２】
上記第２客土層の層厚みを３〜８ｃｍとしたことを特徴とする請求項１記載の多目的植生用地。
【請求項３】
上記各客土層の硬度が１５〜２５ｍｍ（土壌硬度計による）であることを特徴とする請求項１記載の多目的植生用地。
【請求項４】
路床の上にフィルター層が形成され、該フィルター層の上に第１客土層が形成されていることを特徴とする請求項１記載の多目的植生用地。
【請求項５】
植生材料が、芝種子、芝茎、又は張芝であることを特徴とする請求項１記載の多目的植生用地。  
【請求項６】
請求項１に記載の多目的植生用地に使用されることを特徴とする保護ネット。
【請求項７】
下記１）〜５）の工程よりなる植生工法。
１）路床の上に第１客土層を形成する第１客土層形成工程、
２）該第１客土層の上に保護ネットを敷設する保護ネット敷設工程、
３）該保護ネットの上に第２客土層を形成する第２客土層形成工程、
４）該第２客土層の上に植生材料を敷設する植生材料敷設工程、
５）該植生材料の上を覆土する覆土工程
【請求項８】
路床の上にフィルター層を形成し、その後、第１客土層を形成することを特徴とする請求項７記載の植生工法。
【発明の詳細な説明】
【技術分野】
【０００１】
本発明は多目的植生用地に関し、更に詳しくは、芝生の植生ができ且つ自動車による不陸が極力生じない多目的植生用地に関する。
またその多目的植生用地の植生工法に関するものである。
【背景技術】
【０００２】
近年、一定の期間は駐車場として使用され、それ以外の期間は遊び用の芝生広場等として利用されるいわゆる多目的な植生用地がある。
通常このような用地においては、遊び用のために主に芝生が植生されている。
このような芝生を植生させる方法としては、植生用マットを使った方法が採用されている（特許文献参照）。
この方法は植生マットの上に更にジオグリッドで覆うものであり、護岸の緑化には効果的である。
護岸以外の植生用地としては、用地の客土表面に多数の孔目を有する合成樹脂性の芝生保護材を敷設したものがある。
芝生は芝生保護材によって保護され植生が促されるため利用価値は高い。
【０００３】
しかし、一方では、遊び用地として使用する場合、芝生保護材の突起物が座り心地を悪くし、或いは歩行者がつまずく原因となる欠点がある。
また自動車の駐車場として使用する場合は、車が芝生保護材の上に乗り入れると車輪圧によって下の客土が窪んで不陸となったり、或いは芝生保護材が割れたりする。
そのため、後から遊び用の用地として利用する場合、窪み部があちこちに生じたり、また芝生保護材の割れ片が人体に刺さったりして危険でもある。
またエアレーション等の維持管理作業が必ずしも容易ではない等の問題もある。
【先行技術文献】
【特許文献】
【０００４】
【特許文献１】特開２００４−２７８２５５号公報
【発明の開示】
【発明が解決しようとする課題】
【０００５】
本発明は以上の問題点を解決すべく開発されたものである。
すなわち本発明は芝生の植生ができ且つ自動車による不陸が極力生じない多目的植生用地を提供すること、及びその多目的植生用地の植生工法を提供するものである。
【課題を解決するための手段】
【０００６】
本発明者は、以上のような課題背景をもとに鋭意研究を重ねた結果、保護ネットの上に一定の層厚みを有する客土層を形成することにより、上記の課題を解決できることを見出し、その知見に基づいて本発明を完成させたものである。
【０００７】
すなわち本発明は、（１）、第１客土層と、該第１客土層の上に敷設された保護ネットと、該保護ネットの上に形成された第２客土層と、該第２客土層の上に敷設された植生材料とよりなり、該植生材料の上が覆土されている多目的植生用地に存する。  
【０００８】
また、本発明は、（２）、上記第２客土層の層厚みを３〜８ｃｍとした上記（１）記載の多目的植生用地に存する。
【０００９】
また、本発明は、（３）、上記各客土層の硬度が１５〜２５ｍｍである上記（１）記載の多目的植生用地に存する。
【００１０】
また、本発明は、（４）、路床の上にフィルター層が形成され、該フィルター層の上に第１客土層が形成されている上記（１）記載の多目的植生用地に存する。
【００１１】
また、本発明は、（５）、植生材料が、芝種子、芝茎、又は張芝である上記（１）記載の多目的植生用地に存する。
【００１２】
また、本発明は、（６）、上記（１）に記載の多目的植生用地に使用される保護ネットに存する。
【００１３】
また、本発明は、（７）、下記１）〜５）の工程よりなる植生工法に存する。
１）路床の上に第１客土層を形成する第１客土層形成工程、
２）該第１客土層の上に保護ネットを敷設する保護ネット敷設工程、
３）該保護ネットの上に第２客土層を形成する第２客土層形成工程、
４）該第２客土層の上に植生材料を敷設する植生材料敷設工程
５）該植生材料の上を覆土する覆土工程、
【００１４】
また、本発明は、（８）、路床の上にフィルター層を形成し、その後、第１客土層を形成する上記（７）記載の植生工法に存する。 
【００１５】
本発明の目的に添ったものであれば上記（１）から（８）の発明を適宜組み合わせた構成も採用可能である。
【発明の効果】
【００１６】
本発明の多目的植生用地は、第１客土層と、該第１客土層の上に敷設された保護ネットと、該保護ネットの上に形成された第２客土層と、該第２客土層の上に敷設された植生材料とよりなり、該保護ネットの上に一定層厚の第２客土層が形成されているので、第２客土層の上に車輪等により押圧力や踏圧が加わっても、保護ネットの下の第１客土層は硬くならない。
【００１７】
さらに、上記各客土層の硬度が１５〜２５ｍｍとすると芝等の生育に支障とならない。
【００１８】
また  本発明の多目的植生用地の植生工法は、路床の上に第１客土層を形成する第１客土層形成工程、該第１客土層の上に保護ネットを敷設する保護ネット敷設工程、該保護ネットの上に第２客土層を形成する第２客土層形成工程、該第２客土層の上に植生材料を敷設する植生材料敷設工程、該植生材料の上を覆土する覆土工程の各工程よりなるので、効率良く多目的植生用地の施工が可能である。
【図面の簡単な説明】
【００１９】
【図１】図１は、多目的植生用地を説明する断面図である。
【図２】図２は、多目的植生用地の別の例を説明する断面図である。
【図３】図３は、多目的植生用地の植生工法を説明するブロック図である。
【図４】図４は、３ケースの実験用地を示す断面図である。
【図５】図５は、轍深さと走行回数との関係を示す表である。
【図６】図６は、客土増加硬度と走行回数の関係を示す表である。
【発明を実施するための形態】
【００２０】
以下、必要に応じて図面を参照しつつ、本発明の好適な実施形態について詳細に説明する。
【００２１】
本発明の多目的植生用地は、芝生の植生ができ且つ自動車による不陸が生じない多目的植生用地である。
多目的に使用されるため、遊びの広場として使用する場合は芝の育成が十分可能であることが重要である。
また、駐車場として使用する場合は、自動車を乗り入れた場合は、車輪荷重によって地面に圧力が加わるが、轍が目立つような不陸になってはならない。
このような２つの条件を満足するために、本発明では敢えて保護ネットを境として上下に２つの客土層を設ける構成とした。
そして上の客土層上に植生材料を敷設する用地構造とした。
【００２２】
図１は、その用地構造を断面で示した図である。
すなわち、図１に示すように、本発明の多目的植生用地においては、まず路床１の上に一定厚みを有する第１客土層２が形成されている。
そして該第１客土層の上には保護ネット３が敷設されている。
ここで第１客土層２としての層厚は、１０〜２０ｃｍが好ましく採用される。
保護ネット３の上には、また一定厚みの第２客土層４が形成されている。
第２客土層４としての層厚は、３〜８ｃｍが好ましく採用される。
【００２３】
第１客土層２、及び第２客土層４は転圧ローラを使った転圧効果により硬度は、１５〜２０ｍｍ（硬度は山中式土壌硬度計による測定値）である。
なお、硬度が２６ｍｍ以上になると硬すぎて根が育たない。
【００２４】
第２客土層４の上には植生材料５が敷設されている。
このように保護ネット３は上下の客土層の境にあり、客土層中に敷設されているので、保護ネット３の下に位置する第１客土層２の不陸や客土自体の固結が防止される。
【００２５】
ここで保護ネット３は、例えば、ジオグリッドを使用する。
ジオグリッドは、樹脂製の直交する２方向の部材を格子状にし、交点で結合した格子状構造を有するネットである。
格子状の目合いは、３〜６ｃｍが好ましく採用される。
【００２６】
本発明の多目的植生用地においては、車の車輪荷重が作用すると、ジオグリッドの有する摩擦力と引っ張り力により抵抗が発生する。
ジオグリッドより下にある第１客土層２については、ジオグリッドにより圧縮応力が軽減されるため、客土自体の固結が防止される。
また第１客土層２の下方への変位は極めて少なく限られたものとなる（実験例参照）。
【００２７】
因みに、ジオグリッドを客土間に配置しないで用地表面に配置した従来の用地構造の場合は、車の車輪荷重が作用すると、客土層が大きく圧縮されいわゆる土くさびが形成される。
この現象が生じると土くさびが周囲に波及し客土が大きく窪む。
【００２８】
ところでジオグリッドを敷設する際は、一定広さを有するシート状片のジオグリッドを均一な平面状に多数枚連結していくことで施工面積を広める。
その場合、孔目が小さくならないようにジオグリッド同士の端部を重ねないで突き合わせとすることが好ましい。
そのためジオグリッドの連結には結束具を使用する。
【００２９】
一方、先述した植生材料５としては、芝をはじめ、種々の植物となる出発材料がある。
芝の例でいうと、芝種子、芝茎、張り芝等があり、後ほど、述べるように、それらを敷設する作業が行われる。
芝の横に伸びる「ほふく茎」を付着したシートを植生材料５として採用することも可能である。
その１つとして、例えばＺＮ工法で使う植生シートが利用される。
これは「ほふく茎」を２枚の綿ウエブで挟んだシートであり、根群の発達が早い。
上記のような植生材料５の上には、１ｃｍ程度、覆土６が施され、その覆土の上から散水される。
【００３０】
（変形例）
図２は、多目的植生用地の別の例を説明する断面図である。
多目的植生用地は、路床１の上に第１客土層２が形成されているがフィルター層を設けてもよい。
図のように路床１の上に、まず、フィルター層（透水層ともいう）１Ａが形成された後、第１客土層２が形成される構造である。
このような構造の場合、客土層からの排水が極めて効率良く行われる。
【００３１】
（多目的植生用地の植生工法）
上述したような多目的植生用地を構築するための植生工法を次に述べる。
図３は、この植生工法における工程を説明するブロック図である。
【００３２】
（第１客土層形成工程）
まず、対象となる路床１を整地する。次に整地された路床１の上に第１客土層２を形成する。
この場合、第１客土層２の厚みは、１０〜２０ｃｍが好ましく採用される。
客土としては土壌改良土を使うが、転圧ローラにより十分転圧する。
ここで第１客土層２を形成する前に、その整地された路床１の上にフィルター層（透水層ともいう）１Ａを設ける工程を入れることもある。
水捌けの悪い場所によってはこの方法が採用される。
フィルター層１Ａとしては、砂を使用し、砂敷均しを行う。
フィルター層１Ａは、通常、５〜１０ｃｍの層厚とする。
【００３３】
（保護ネット敷設工程）
次に第１客土層２の上に保護ネット３を敷設する。
保護ネット３としては、例えばジオグリッドを使用する。
これはプラスチック製の格子部材で格子状の目合いは、３〜６ｃｍが好ましく採用される。
【００３４】
（第２客土層形成工程）
次に保護ネット３の上に第２客土層４を形成する。
この場合、第２客土層４の層厚は３〜８ｃｍが好ましい。
客土としては、第１客土層２と同じように土壌改良土を使うが、転圧ローラにより十分転圧する。
【００３５】
（植生材料敷設工程）
次に第２客土層４の上に植生材料５を形成する。
この場合、植生材料５としては、芝の例でいうと、先述したような、芝種子、芝茎、張り芝等があり、例えば、芝種子を使う場合は、第２客土層４の上に播種作業が行われ芝種子が敷設される。
また、芝苗を使う場合は、第２客土層４の上に、芝苗が植え付けられ芝種子が敷設される。
また、張芝の場合は、第２客土層４の上に張芝が行われて、張芝が敷設される。
「ほふく茎」を付着したシートを植生材料５とした場合は、その１つとして、例えばＺＮ工法で使う植生シートが利用されることも可能である。
これは「ほふく茎」を２枚の綿ウエブで挟んだシートであり、根群の発達が早い。
【００３６】
（覆土工程）
次に植生材料の上に目土が散布される。
１ｃｍ程度覆土されたら、その覆土の上から散水する。
【００３７】
（実験例１）
多目的植生用地（８４００ｍ２）の一部領域を使って次の３ケース（図４参照）について実験を行った。
ケース１）フィルター層１Ａの上に客土層２Ａ（２０ｃｍ）を設けた。
ケース２）客土層２Ａ（２０ｃｍ）の表面にジオグリッド３を設けた。
ケース３）第１客土層２（１５ｃｍ）と第２客土層４（５ｃｍ）の間にジオグリッド３を敷設した（本発明に相当）。
【００３８】
上記各ケースについて乗用車による走行実験を行い、「轍の深さ」、及び「表面硬度（水散布後）」を測定した。
なお、表面硬度は山中式土壌硬度計を使って測定した。
図５、図６はその結果を示す。
【００３９】
「轍の深さ」は、ケース１やケース２に比べ、ケース３（本発明に相当）の場合には、半分以下に低減されることが分かる。
車輪圧により、ある程度、第２客土層が圧縮されるものの、ジオグリッドの支持力によって、第１客土層は、圧縮応力が低減され、固結防止されることが明らかである。
よって、ケース３（本発明に相当）が一番、駐車場として優れていることが分かる。
【００４０】
（実験例２）
多目的植生用地（８４００ｍ２）一部領域を使って次の３ケース（図示しない）について実験を行った。
ケース４）フィルター層の上に客土層（２０ｃｍ）を設け、その上に植生材料を敷設し、１ｃｍ程度の覆土を行った。
ケース５）客土層（２０ｃｍ）の表面にジオグリッドを設け、その上に植生材料を敷設し、１ｃｍ程度の覆土を行った。
ケース６）第１客土層（１５ｃｍ）と第２客土層（５ｃｍ）の間にジオグリッドを敷設し、第２客土層の上に植生材料を敷設し、１ｃｍ程度の覆土を行った。
【００４１】
上記各ケースについて多目的植生用地を５ヶ月放置し、芝が一定長さ育成した後、乗用車の乗り入れによる走行実験を行った。
走行実験後、掘り起こして芝根の状態を調べたところ、ケース４、及びケース５は、芝根が潰れている状態のところが多い。
しかし、ケース６では、第１客土層の芝根は殆ど潰れていない。
このような現象は、第２客土層が圧縮されても第１客土層にはその力が及びにくくなった結果、第１客土層の圧力応力が低減され、客土の固結が防止されたことが原因であることが理解される。
よって、ケース６（本発明に相当）が一番、芝根の育成に適していることが分かる。
またケース６の場合には、芝根への酸素供給のためのエアレーション作業が極めて容易に行えた。
【００４２】
遊びの広場として使用する場合は芝の育成が十分可能であること、駐車場として使用する場合は自動車の車輪が乗った場合、轍が目立つような不陸が防止されることの２つの条件が満足されることが、多目的植生用地の目的であるが、この条件を満足できるのは、実験例１及び実験例２の結果からケース６（本発明に相当）であることが分かる。
以上、本発明をその一実施形態を例に説明したが、本発明は上述した実施形態のみに限定されるものではなく、種々の変形が可能である。
【００４３】
例えば、植生材料は、客土層の上の一定領域に植物の出発材料となるものを付与できるものであれば、種々のものが使用可能である。
また、保護シートは、車輪荷重を受け止めるに十分な強度を有するものであれば、種々のものが使用可能である。
【産業上の利用可能性】
【００４４】
本発明は多目的植生用地に関するもので、芝生の植生ができ且つ自動車による不陸が極力生じない利点を有する。
したがって、この利点を利用する限り、一定の期間に供する駐車場、期間限定の遊び場、屋外イベント会場、運動場、芝生広場等の種々の場所に適用可能である。
【符号の説明】
【００４５】
１…路床
１Ａ…フィルター層（透水層）
２…第１客土層
２Ａ…客土層
３…保護ネット（ジオグリッド）
４…第２客土層
５…植生材料
６…覆土
【図１】
2011078347.tif 000003
【図２】
2011078347.tif 000004
【図３】
2011078347.tif 000005
【図４】
2011078347.tif 000006
【図５】
2011078347.tif 000007
【図６】
2011078347.tif 000008